(57)【要約】【課題】  水処理槽内において被処理水の貯水領域に消毒装置を有する水処理装置において、消毒剤に起因するガスによって水処理槽内の内装部材が悪影響を受けるのを防止するのに有効な技術を提供する。【解決手段】  本発明にかかる水処理装置１００は、被処理水の消毒処理を行う消毒室１３０の構成に関し、消毒剤を収容する薬筒１３２に形成された開口を、薬筒受け部１３１（水溜部）の水によって常時水封する水封構造とされる。【選択図】      図２
2007301513.tif 000002
【特許請求の範囲】
【請求項１】
水処理槽内において被処理水の貯水領域に消毒装置を有する水処理装置であって、
前記消毒装置は、ハウジングと、前記ハウジング内に形成された中空室と、前記中空室に収容される消毒剤と、前記ハウジングの各部位のうち前記中空室に収容された前記消毒剤の上部よりも下方に形成されて前記中空室とハウジング外とを連通する開口と、前記ハウジングの下部側に設けられて前記開口を常時水封状態とするべく当該開口よりも高い水位に水を溜める水溜部と、を備える構成であることを特徴とする水処理装置。
【請求項２】
請求項１に記載の水処理装置であって、
前記水溜部は、前記開口よりも高い立設壁を有する有底箱形状のトレイ部材によって構成されており、これによって前記貯水領域に貯水される水の水位とは無関係に前記開口よりも高い水位を維持することを特徴とする水処理装置。
【請求項３】
請求項２に記載の水処理装置であって、
前記水溜部は、前記貯水領域に貯水される水の最大水位よりも高所に前記トレイ部材が設けられた構成であることを特徴とする水処理装置。
【請求項４】
請求項２または３に記載の水処理装置であって、
前記トレイ部材は、前記中空室に前記消毒剤を収容した前記ハウジングに対して取り付けられる構成であり、これによって前記貯水領域における前記消毒装置の取り付けを兼務した構成であることを特徴とする水処理装置。
【請求項５】
請求項１〜４のうちのいずれか１項に記載の水処理装置であって、
前記消毒剤は、次亜塩素酸カリウムよりも潮解性の低い塩素化イソシアヌル酸を含む固形状の薬剤として構成されることを特徴とする水処理装置。
【請求項６】
請求項１〜５のうちのいずれか１項に記載の水処理装置であって、
前記貯水領域は、前記消毒装置によって消毒処理された後の水を溜める第２の水溜部を備え、前記第２の水溜部に溜められた水は移送手段を介して所定の移送領域へと移送される一方、前記第２の水溜部よりも上方領域の気相は前記所定の移送領域に対し遮断されており、これによって当該上方領域にて滞留する構成であることを特徴とする水処理装置。
【請求項７】
請求項６に記載の水処理装置であって、
前記所定の移送領域は、前記消毒装置によって消毒処理された後の水を中水として再利用する中水再利用部とされた構成であることを特徴とする水処理装置。
【発明の詳細な説明】
【技術分野】
【０００１】
本発明は、水処理技術に係り、詳しくは水処理槽内において被処理水の貯水領域に消毒装置を有する水処理装置の構築技術に関するものである。
【背景技術】
【０００２】
従来、水処理槽内に消毒装置を有する水処理装置が種々提案されている。例えば、下記特許文献１には、被処理水に対し薬筒内の消毒剤を接触させてこの消毒剤を水中に溶解させて消毒処理を行う構成の浄化槽が開示されている。特許文献１に記載のこの浄化槽は、薬筒内の消毒剤を用いて消毒処理を行う可能を有するものの、薬筒内に充填された消毒剤が通孔を通じて外気と直に接触する構成であるため、水と消毒剤の接触によって生じた消毒成分を含む酸化力の強いガスが、通孔を通じて薬筒外へと流出し、当該ガスがその酸化力によって浄化槽内の内装部材の劣化を引き起こすことが懸念される。
【特許文献１】特開平５−１３８１８２号公報
【発明の開示】
【発明が解決しようとする課題】
【０００３】
そこで本発明は、かかる点に鑑みてなされたものであり、水処理槽内において被処理水の貯水領域に消毒装置を有する水処理装置において、消毒剤に起因するガスによって水処理槽内の内装部材が悪影響を受けるのを防止するのに有効な技術を提供することを課題とする。
【課題を解決するための手段】
【０００４】
前記課題を解決するために、本発明が構成される。なお、本発明は、一般家庭等から排出される生活排水をはじめ、雨水等の各種の被処理水を処理する水処理装置の構築技術として好適に用いられる。
【０００５】
（本発明の第１発明）
前記課題を解決する本発明の第１発明は、請求項１に記載されたとおりの水処理装置である。
請求項１に記載のこの水処理装置は、水処理槽内において被処理水の貯水領域に消毒装置を有する。ここでいう貯水領域は、被処理水を溜めることが可能な空間であれば足りる。また、ここでいう「被処理水」には、一般家庭等から排出される生活排水をはじめ各種の設備から排出される排水等が包含される。この「被処理水」は、浄化処理等の所定の処理がなされた処理後の水を含んでもよいし、処理前の水そのものであってもよい。
【０００６】
本発明の消毒装置は、ハウジング、中空室、消毒剤、開口、水溜部を少なくとも備える。本発明の中空室は、ハウジング内に形成された中空状の部位として構成される。この中空室に、本発明の消毒剤が収容される。本発明の開口は、ハウジングの各部位のうち中空室に収容された消毒剤の上部よりも下方に形成されて、中空室とハウジング外とを連通する開口部分として構成される。本発明の水溜部は、ハウジングの下部側に設けられて開口を常時水封状態とするべく当該開口よりも高い水位に水を溜めるように構成される。これによって、このハウジングは、その設置時において、開口が下向きとされて水溜部の水に浸漬されることで、開口が水溜部の水によって常時密封された状態が形成される。従って、中空室に収容された消毒剤は、開口を通じて水溜部の水と接触するのが許容される一方、ハウジング外の気相と直に接触するのが阻止されることとなる。なお、ハウジングを水滞留領域の水に常時浸漬させることを想定した場合、このハウジングに収容する消毒剤として、潮解性の低い固形状の薬剤を使用するのが好ましい。
【０００７】
ところで、消毒剤がハウジング外の気相と直に接触するような場合には、消毒剤に起因する消毒成分を含む酸化力の強いガスが気相状態のままで水処理槽内の空間に広く拡散し、その結果として、酸化力の強い当該ガスが、金属製の内装部材の腐食や、樹脂製の内装部材の酸化といった劣化要因と成り得る。この内装部材として、典型的には配管類、計器類、またこれら配管類や計器類を水処理槽内に取り付けるための取り付け部材などが挙げられる。そこで、本発明のように、中空室に消毒剤を収容するハウジングの開口が常時水封状態とされる構造を採用することによって、消毒剤がハウジング外の気相と直に接触するのが阻止されるため、ハウジング外に滞留する、消毒成分を含む酸化力の強いガスの量を抑えることができ、内装部材の劣化発生が防止される。
従って、請求項１に記載の水処理装置によれば、消毒剤に起因するガスによって水処理槽内の内装部材が悪影響を受けるのを防止することが可能となる。これにより、内装部材の劣化対策として、耐酸化性の高い高価な材質を水処理槽内の広範囲にわたって使用する必要がなく、製品コスト低減を図るのに有効とされる。
【０００８】
（本発明の第２発明）
前記課題を解決する本発明の第２発明は、請求項２に記載されたとおりの水処理装置である。
請求項２に記載のこの水処理装置では、請求項１に記載の水溜部は、開口よりも高い立設壁を有する有底箱形状のトレイ部材によって構成されており、これによって貯水領域に貯水される水の水位とは無関係に開口よりも高い水位を維持する構成とされる。
従って、請求項２に記載の水処理装置のこのような構成によれば、貯水領域に貯水される水の水位に関わらず、水溜部の水によってハウジングの開口を常に水封状態に維持することが可能となる。例えば、水処理槽内を流れる被処理水の過不足によって、貯水領域に貯水される水の水位が変動するような場合であっても、消毒処理性能は維持しつつ、しかも消毒剤に起因するガスによって水処理槽内の内装部材が悪影響を受けるのを防止することが可能となる。
【０００９】
（本発明の第３発明）
前記課題を解決する本発明の第３発明は、請求項３に記載されたとおりの水処理装置である。
請求項３に記載のこの水処理装置では、請求項２に記載の水溜部は、貯水領域に貯水される水の最大水位よりも高所にトレイ部材が設けられた構成とされる。ここでいう最大水位に関しては、貯水領域に貯水される水の変動に基づいて予め規定され得る。
従って、請求項３に記載の水処理装置のこのような構成によれば、特に水処理槽内を流れる被処理水の超過によって、貯水領域に貯水される水の水位が最大水位に達するような場合であっても、消毒処理性能は維持しつつ、しかも消毒剤に起因するガスによって水処理槽内の内装部材が悪影響を受けるのを防止することが可能となる。
【００１０】
（本発明の第４発明）
前記課題を解決する本発明の第４発明は、請求項４に記載されたとおりの水処理装置である。
請求項４に記載のこの水処理装置では、請求項２または請求項３に記載のトレイ部材は、中空室に消毒剤を収容したハウジングに対して取り付けられる構成であり、これによって貯水領域における消毒装置の取り付けを兼務した構成とされる。なお、トレイ部材とハウジングとの間の取付け態様に関しては、貯水領域の壁部に取付けたトレイ部材の上面にハウジングを載置することで、トレイ部材がハウジングを下方から支持する態様、貯水領域の壁部に取付けたハウジングの下部側にトレイ部材を固定する態様、トレイ部材の上面にハウジングを載置した上で、トレイ部材及びハウジングの各々を貯水領域の壁部に取付ける態様などを採用することができる。
請求項４に記載の水処理装置のこのような構成によれば、トレイ部材は、ハウジングの開口を水封状態とするべく水を溜める機能に加えて、貯水領域における消毒装置の取り付け機能をも有する合理的な構成とされる。
【００１１】
（本発明の第５発明）
前記課題を解決する本発明の第５発明は、請求項５に記載されたとおりの水処理装置である。
請求項５に記載のこの水処理装置では、請求項１〜４のうちのいずれか１項に記載の消毒剤は、次亜塩素酸カリウムよりも潮解性の低い塩素化イソシアヌル酸を含む固形状の薬剤として構成される。次亜塩素酸カリウムよりも潮解性の低い塩素化イソシアヌル酸を含む固形状の薬剤として構成される。このような構成の消毒剤は、その潮解性が低いため、ハウジングを水溜部の水に常時浸漬させることができ、これによって消毒剤を用いた所望の消毒処理を継続的に行うことが可能となる。
【００１２】
（本発明の第６発明）
前記課題を解決する本発明の第６発明は、請求項６に記載されたとおりの水処理装置である。
請求項６に記載のこの水処理装置では、請求項１〜５のうちのいずれか１項に記載の貯水領域は、消毒装置によって消毒処理された後の水を溜める第２の水溜部を備える構成とされる。そして、第２の水溜部に溜められた水は移送手段を介して所定の移送領域へと移送される一方、第２の水溜部よりも上方領域の気相は、所定の移送領域に対し遮断されており、これによって当該上方領域にて滞留する構成、すなわち第２の水溜部の下流側が「気相に関する密閉構造」とされる。このような構成においては、消毒剤に起因した消毒成分を含むガスは、行き場を失ってこの上方領域にて気相として滞留して蓄積されるところ、当該ガスの量が、金属製や樹脂製の内装部材の劣化に影響を及ぼし易い。すなわち、消毒剤に起因した消毒成分を含むガスが下流側領域へと流出する構成に比して、内装部材の劣化環境が形成され易い。従って、本発明のごとく、ハウジングの開口を水封にしてハウジング外に滞留する、消毒成分を含むガスの量を抑える構成は、気相に関する密閉構造を採用した場合おいて特に効果的である。なお、本発明において「所定の移送領域」として、典型的には、消毒処理後の水を中水として再利用する水再利用先や、放流ポンプが設置された放流ポンプ槽を水貯留部とした場合の水放流先が挙げられる。
【００１３】
（本発明の第７発明）
前記課題を解決する本発明の第７発明は、請求項７に記載されたとおりの水処理装置である。
請求項７に記載のこの水処理装置では、請求項６に記載の所定の移送領域は、消毒装置によって消毒処理された後の水を中水として再利用する中水再利用部とされる。典型的には、消毒処理後の水を中水として水洗トイレに再利用する水処理システムにおいては、トイレの洗浄水タンクが中水再利用部（中水再利用先）とされる。
このような構成によれば、消毒処理された後の水を中水として再利用する水処理システムにおいて、消毒剤に起因するガスによって水処理槽内の内装部材が悪影響を受けるのを防止することが可能となる。
【発明の効果】
【００１４】
以上のように、本発明によれば、水処理槽内において被処理水の貯水領域に消毒装置を有する水処理装置において、特に中空室に消毒剤を収容するハウジングに形成された開口を、水溜部の水によって常時水封する水封構造を採用することによって、ハウジング外に滞留する、消毒成分を含む酸化力の強いガスの量を抑えることができ、以って消毒剤に起因するガスによって水処理槽内の内装部材が悪影響を受けるのが防止されることとなった。
【発明を実施するための最良の形態】
【００１５】
以下に、本発明の一実施の形態を図面に基づいて説明する。なお、本実施の形態は、一般家庭等から排出される排水（「被処理水」ともいう）の水処理を行う水処理装置１００について説明するものである。
【００１６】
本発明における「水処理装置」の一実施の形態である水処理装置１００の概略構成が図１に示される。ここでは、一般家庭用の排水処理に本発明の水処理装置１００を適用した場合を、図１を参照しつつ説明する。
【００１７】
図１に示す水処理装置１００は、一般家庭の生活排水を浄化処理するとともに、浄化処理後の水を水再利用先（図１ではトイレの洗浄水タンク）へ供給して再利用する装置である。図１に示すように、家庭において、上水（上水道からの水）が洗濯用、洗面用、トイレ用、台所用などの上水供給先へ供給されるようになっている。この上水は、上水補給管１０を通じて後述する水処理槽１０１へも供給（補給）が可能となっている。この上水補給管１０には、電磁式の開閉制御弁１４６が設けられており、この開閉制御弁１４６の開閉動作によって水処理槽１０１に上水が補給される状態と補給されない状態が切り換るようになっている。この開閉制御弁１４６は、後述する水処理槽１０１の貯水室１４０に設けられた水位センサ１４４による水位検出情報に基づいて制御部１５０によって制御される。すなわち、制御部１５０は、開閉制御弁１４６に対し制御信号を出力する構成を有しており、水位センサ１４４により検出された貯水室１４０の水位が基準水位を下回る場合に開閉制御弁１４６を開状態に制御する一方、水位センサ１４４により検出された貯水室１４０の水位が基準水位に達した場合に開閉制御弁１４６を閉状態に制御する。これにより、貯水室１４０における水位の維持が可能とされる。
【００１８】
本実施の形態の水処理装置１００は、槽状に成形された水処理槽１０１の内部に、後述する各種の浄化処理機構を収容している。洗濯排水及び洗面排水は合流升２０に集められ、浴室排水とともにトラップ弁２２を経由して水処理槽１０１の流入管１０２に合流する。特に浴室排水や洗濯排水は、排出（放流）タイミングを使用者が任意に定めることが可能な、比較的まとまった量の排水である。この流入管１０２を通って水処理槽１０１に流入する排水（以下「排水Ａ」という）は、相対的に汚濁物質濃度の低い排水である。この排水Ａは、通常各種洗浄排水に由来の泡沫成分を含む。水処理槽１０１内の浄化処理機構によって浄化処理された処理水は、後述する貯水室１４０から再利用水（中水）として取水され、取水管１０４、給水ポンプ１０５、給水管１０６を通じて水再利用先（「移送領域」ともいう）であるトイレの洗浄水タンクに供給される。
また、本実施の形態では、上水補給管１０と取水管１０４とを接続する接続管１０７が設けられており、上水補給管１０を流れる上水を、取水管１０４、給水ポンプ１０５、給水管１０６を通じてトイレの洗浄水タンクに供給可能としている。
【００１９】
一方、トイレ排水は合流升２４に集められ、更に台所排水とともに合流升２６，２８、放流升３０を経由して下水道へ放流される。この排水（以下「排水Ｂ」という）は、相対的に汚濁物質濃度の高い排水であり、処理後の水を一般的に再利用水（中水）として利用し難い排水である。一般に、排水Ｂは排水Ａに比して濃度負荷が高く水量負荷が低い。この排水Ｂは、通常トイレ排水に由来の屎尿を含む。
【００２０】
ここで、図１中の水処理槽１０１内における浄化処理機構の構成が図２に示される。図２に示すように、本実施の形態の水処理槽１０１は、その内部に浄化処理機構として、処理工程の順に対応して上流側（図２の左側）から順に、接触ばっ気室１１０、沈殿室１２０、消毒室１３０、貯水室１４０を備えている。
【００２１】
接触ばっ気室１１０は、接触材充填部１１２を有し、この接触材充填部１１２には有機汚濁物質を好気処理（酸化）する好気性微生物が付着する所定量の接触材Ｃ１が充填されている。被処理水がこの接触材充填部１１２を繰り返し通過する際に、被処理水中の有機汚濁物質が分解されＢＯＤが除去される。また、この接触ばっ気室１１０には、泡沫分離装置１１４が設けられている。この泡沫分離装置１１４において、ブロワ１１８から供給されたばっ気・泡沫分離用エアが散気管１１６を通じて室内に散気されることによって、被処理水中の泡沫成分が泡沫となる。この泡沫は、オーバーフロー水とともにオーバーフロー管１０３を通じて放流升（図１中の放流升３０）に流れたのち下水道へ放流される。このとき、ＳＳ（浮遊物質）の一部も合わせて除去される。
【００２２】
沈殿室１２０は、その底部が傾斜した傾斜部１２２を備え、この傾斜部１２２は接触ばっ気室１１０側の高さが低く（水深が深く）なっている。この傾斜部１２２は、接触ばっ気室１１０において発生し、移流開口を通じて沈殿室１２０へ移流したＳＳ（浮遊物質）を、接触ばっ気室１１０の底部へと誘導することによって沈殿分離する機能を有する。沈殿室１２０の水は、例えばフロート式の流量調整装置１２４を介して流量調整がなされたのち消毒室１３０へ移流する。
【００２３】
消毒室１３０は、沈殿室１２０から流入した被処理水の消毒処理を行う機能を有する。この消毒室１３０によって、本発明における「消毒装置」が構成される。この消毒室１３０には、沈殿室１２０側からの水が流入する薬筒受け部１３１が設けられている。この薬筒受け部１３１は、有底箱形状のトレイ部材によって構成され、また周囲に立設する立設壁によって常に所定量の被処理水（「水」ともいう）が滞留する構成とされ、一定時間滞留した水は貯水室１４０へと移流する。本実施の形態では、この薬筒受け部１３１に滞留した（溜められた）被処理水に薬筒１３２が浸漬状に設置される。具体的には、貯水室１４０の壁部に取付けた薬筒受け部１３１の上面に薬筒１３２を載置することで、薬筒受け部１３１が薬筒１３２を下方から支持する構成になっている。本構成によれば、薬筒受け部１３１は、ハウジング１３３の開口１３７を水封状態とするべく水を溜める機能に加えて、貯水室１４０における薬筒１３２の取り付け機能をも有する合理的な構成とされる。なお、薬筒受け部１３１と薬筒１３２との取付け態様に関しては、本構成以外に、貯水室１４０の壁部に取付けた薬筒１３２の下部側に薬筒受け部１３１を固定する態様、薬筒受け部１３１の上面に薬筒１３２を載置した上で、これら薬筒受け部１３１及び薬筒１３２の各々を貯水室１４０の壁部に取付ける態様などを採用することができる。ここでいう薬筒受け部１３１が、本発明における「水溜部」及び「トレイ部材」を構成しており、またこの薬筒受け部１３１に設置される薬筒１３２のハウジング１３３が、本発明における「ハウジング」に相当する。
【００２４】
本実施の形態の薬筒１３２の具体的な構成に関しては、図３及び図４が参照される。ここで、図３は図２中の薬筒１３２の斜視図であり、図４は図３中の薬筒１３２を矢印Ｃ方向（下面１３６側）から視たときの構造を示す図である。
【００２５】
図３及び図４に示すように、薬筒１３２のハウジング１３３は、有底筒状のハウジング構成とされ、ハウジング１３３内（筒内部）の中空室１３４に所定量の消毒剤１３５が充填され収容されている。また、薬筒１３２の下面１３６には、中空室１３４とハウジング１３３外とを連通する開口１３７（図４中では大小計４つの開口１３７）が設けられている。この薬筒１３２の設置時においては、薬筒１３２の下面１３６が下向き、すなわち開口１３７が下向きとされて薬筒受け部１３１の水に浸漬されることで、開口１３７が水によって常時密封された状態、いわゆる「水封状態」が形成されることとなる。ここでいう中空室１３４が、本発明における「中空室」に相当する。また開口１３７は、ハウジング１３３の各部位のうち中空室１３４に収容された消毒剤１３５の上部よりも下方に形成されて中空室１３４とハウジング１３３外とを連通する開口部分であり、この開口１３７が、本発明における「開口」に相当する。
【００２６】
また、詳細については後述するが、薬筒１３２の設置時においては、開口１３７を通じて薬筒１３２のハウジング１３３内へと侵入した水が消毒剤１３５と接触し、これによって発生した消毒剤１３５の消毒成分が水中へと溶解することとなる。従って、この開口１３７の数、設置位置、開口全体の占める開口面積等は、消毒剤１３５の所望の溶解量に基づいて設定されるのが好ましい。水中へと溶解した消毒剤１３５の消毒成分は、薬筒受け部１３１に一定時間滞留したのち貯水室１４０へと移流する。これによって、貯水室１４０の水は、消毒剤１３５によって消毒処理がなされた状態とされる。
【００２７】
なお、本実施の形態の消毒剤１３５は、次亜塩素酸カリウムよりも潮解性の低い塩素化イソシアヌル酸を含む固形状の薬剤として構成される。この消毒剤１３５は、本発明における「消毒剤」に相当する薬剤であり、被処理水に対する「殺菌剤」とも称呼される。このような構成の消毒剤１３５は、潮解性が低いため、薬筒１３２の設置時において、この消毒剤１３５を薬筒受け部１３１に滞留した水に常時浸漬させることができ、これによって消毒剤１３５を用いた所望の消毒処理を継続的に行うことが可能となる。また、イソシアヌル酸を含む固形状の薬剤は、酸化力が強く、被処理水の消毒処理に効果的に使用される。
【００２８】
薬筒１３２の上記水封構造により得られる効果に関しては、図５が参照される。ここで、図５は、本実施の形態の薬筒１３２の断面図であって、この薬筒１３２の浸漬設置時における消毒剤溶解およびガス発生の様子を模式的に示す図である。
【００２９】
図５に示すように、薬筒１３２の設置時においては、薬筒受け部１３１の周囲の立設壁の立設高さが開口１３７よりも高い位置にあるため、薬筒受け部１３１の水位は、貯水室１４０の水位とは無関係に開口１３７よりも高い位置に常に維持されることとなる。従って、消毒剤１３５を収容した中空室１３４は、薬筒受け部１３１に滞留した水が開口１３７を通じて薬筒１３２のハウジング１３３内へと侵入した状態で常時水封状態とされる。この水封状態では、水と消毒剤１３５とが常に接触しており、消毒剤１３５に起因した消毒成分を含む酸化力の強いガス（典型的には塩素ガス）が発生する。このガスは、水中に消毒成分として溶解する一方で、溶解しないガスは水封構造によってそのまま中空室１３４に滞留する。すなわち、中空室１３４に収容された消毒剤１３５は、開口１３７を通じて水と接触するのが許容される一方、ハウジング１３３外の気相と直に接触するのが水封構造によって阻止されることとなる。換言すれば、消毒剤１３５に起因する消毒成分を含むガスは、水中への溶解によってのみハウジング１３３外へと流出することが可能とされている。この場合には、薬筒１３２のハウジング１３３外に滞留する、消毒成分を含む酸化力の強いガスの量が抑えられる。
【００３０】
ところで、消毒剤１３５がハウジング１３３外の気相と直に接触するような場合には、消毒成分を含む酸化力の強いガスが気相状態のままで水処理槽１０１内の空間に広く拡散し、その結果として、当該ガスが、金属製の内装部材の腐食や、樹脂製の内装部材の酸化といった劣化要因と成り得る。そこで、本実施の形態のように、薬筒１３２の水封構造を採用することによって、消毒剤１３５がハウジング１３３外の気相と直に接触するのが阻止されるため、薬筒１３２のハウジング１３３外に滞留する、消毒成分を含む酸化力の強いガスの量を抑えることができ、水処理槽１０１内の種々の内装部材の劣化発生が防止される。これにより、内装部材の劣化対策として、耐酸化性の高い高価な材質を水処理槽１０１内の広範囲にわたって使用する必要がなく、製品コスト低減を図るのに有効とされる。この内装部材として、典型的には配管類、計器類、またこれら配管類や計器類を水処理槽１０１内に取り付けるための取り付け部材などが挙げられる。
【００３１】
なお、本実施の形態では、薬筒受け部１３１は、貯水室１４０に貯水される水の予め設定された最大水位よりも高所に設けられている。ここでいう最大水位に関しては、貯水室１４０に貯水される水の変動に基づいて予め規定され得る。このような構成によれば、特に水処理槽内を流れる被処理水の超過によって、貯水室１４０に貯水される水の水位が最大水位に達するような場合であっても、消毒処理性能は維持しつつ、しかも消毒剤１３５に起因するガスによって水処理槽１０１内の内装部材が悪影響を受けるのを防止することが可能となる。
【００３２】
図２に戻って、貯水室１４０は、その上方に消毒室１３０を有する空間領域とされる。この貯水室１４０が、本発明における「被処理水の貯水領域」に相当する。この貯水室１４０は、消毒室１３０にて消毒処理された後の水を、水再利用先（移送領域）へと供給する前に一旦溜める水溜部を含み、当該水溜部が本発明における「第２の水溜部」に相当する。この貯水室１４０の水溜部に溜められた水は、前述のように取水管１０４、給水ポンプ１０５、給水管１０６からなる移送手段によって、水再利用先であるトイレの洗浄水タンクへと移送される。これら取水管１０４、給水ポンプ１０５、給水管１０６が、本発明における「移送手段」を構成している。また、トイレの洗浄水タンクが、本発明における「所定の移送領域」及び「中水再利用部」に相当する。
【００３３】
また、本実施の形態において、貯水室１４０の下流側に関しては、水貯留部分の水のみが移送手段を介して移送領域へと移送される構成であり、水貯留部分の上方領域の気相は、移送領域に対し遮断されており、下流側への気相の流出が阻止された構造（「気相に関する密閉構造」ともいう）とされている。このような構成においては、消毒剤１３５に起因した消毒成分を含むガスは、行き場を失ってこの上方領域にて気相として滞留して蓄積されるところ、当該ガスの量が、とりわけ金属製や樹脂製の内装部材の劣化に影響を及ぼし易い。すなわち、消毒剤１３５に起因した消毒成分を含むガスが下流側領域へと流出する構成に比して、内装部材の劣化環境が形成され易い。そこで、本実施の形態のごとく、薬筒１３２を水封構造にして薬筒１３２のハウジング１３３外に滞留する、消毒成分を含むガスの量を抑える構成は、気相に関する密閉構造を採用した場合において特に効果的である。また、本実施の形態の水処理槽１０１のように、消毒処理された後の水を更に再利用先に移送して中水として再利用する設備にあっては、中水の所望の残留塩素濃度を確保するべく消毒室１３０にて予め十分な消毒処理を行う必要性があるところ、消毒成分を含むガスのガス濃度が高まる場合が想定される。このような場合であっても、薬筒１３２を水封構造とした本実施の形態によれば、中水の所望の残留塩素濃度を確保しつつ、且つ消毒成分を含むガスの量を抑えて内装部材の劣化防止を図るのに有効とされる。
【００３４】
このような気相に関する密閉構造は、貯水室１４０の下流において更に放流ポンプが設置された放流ポンプ槽においても同様であり、この場合には、貯水室１４０ないし放流ポンプ槽が、本発明における「水貯留部」とされ、この水貯留部の貯留水が放流ポンプ（移送手段）を介して放流される水放流先が、本発明における「所定の移送領域」とされる。勿論、内装部材の劣化防止の効果は、本実施の形態の水処理槽１０１のように、消毒剤１３５に起因した消毒成分を含むガスが下流側領域へと流出しない構成、すなわち気相に関する密閉構造を有する構成のみならず、当該ガスが下流側領域へと流出する構成を採用した場合においても同様に得られるものである。
【００３５】
また、この貯水室１４０には、上水補給装置１４２が設けられている。この上水補給装置１４２は、貯水室１４０の水位に応じて上水道から「上水」を補給する機能を有する。この上水補給装置１４２は、特に図示しないものの既知の構成の水位センサ１４４を備える。この水位センサ１４４は、貯水室１４０の水位に関する情報を検出する機能を有するとともに、制御部（図１中の制御部１５０）と電気的に接続されており、検出情報を制御部へと伝達するように構成されている。これによって、貯水室１４０の水位に応じて制御部が開閉制御弁１４６を制御し、貯水室１４０への上水の補給を適宜行われる。
【００３６】
〔他の実施の形態〕
なお、本発明は上記の実施の形態のみに限定されるものではなく、種々の応用や変形が考えられる。例えば、上記実施の形態を応用した次の各形態を実施することもできる。
【００３７】
上記実施の形態は、一般家庭等から排出される生活排水を処理する水処理技術を例にして説明したが、本発明は、生活排水をはじめ、雨水等の各種の水を処理する水処理技術に適用され得る。その際、水処理槽内に少なくとも消毒処理部を備えていればよく、消毒処理部以外の処理機構の種類、組み合わせ、配置、また処理後の水の移送先等に関しては、上記実施の形態に限定されるものではなく、被処理水の種類や性状などに基づいて適宜選択可能である。また、処理後の水の再利用に関しては、本実施の形態のように生活排水を水洗トイレの洗浄水として再利用してもよいし、或いは生活排水を水洗トイレの洗浄水以外、例えば洗車用の水や、庭などへの散水用の水として再利用するようにしてもよい。
【図面の簡単な説明】
【００３８】
【図１】本発明における水処理装置の一実施の形態である水処理装置１００の概略構成を示す図である。
【図２】図１中の水処理槽１０１内における浄化処理機構の構成を示す図である。
【図３】図２中の薬筒１３２の斜視図である。
【図４】図３中の薬筒１３２を矢印Ｃ方向から視たときの構造を示す図である。
【図５】本実施の形態の薬筒１３２の断面図であって、この薬筒１３２の浸漬設置時における消毒剤溶解およびガス発生の様子を模式的に示す図である。
【符号の説明】
【００３９】
１００…水処理装置
１０１…水処理槽
１０２…流入管
１０３…オーバーフロー管
１０４…取水管
１０５…給水ポンプ
１０６…給水管
１１０…接触ばっ気室
１１６…散気管
１１８…ブロワ
１２０…沈殿室
１３０…消毒室
１３１…薬筒受け部
１３２…薬筒
１３３…ハウジング
１３４…中空室
１３５…消毒剤
１３６…下面
１３７…開口
１４０…貯水室
１４２…上水補給装置
１４４…水位センサ
１４６…開閉制御弁
１５０…制御部
【図１】
2007301513.tif 000003
【図２】
2007301513.tif 000004
【図３】
2007301513.tif 000005
【図４】
2007301513.tif 000006
【図５】
2007301513.tif 000007